【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  以下の工程：
フローサイトメータで流れを確立する工程であって、該流れは、該流れが液滴へと決裂する液滴決裂点および該液滴が液滴になった後に移動する自由落下ゾーンを有する、工程；
該フローサイトメータからの該流れを流れ排出点で排出する工程；
該流れのおよその速度を該流れに沿った第一の位置で決定する工程；
該流れのおよその速度を該流れに沿った第二の位置で決定する工程；
ならびに
ほぼ該流れ排出点とほぼ該液滴決裂点との間に生じる領域における距離に対して、ほぼ指数関数的に減衰する該流れの速度を、モデル化する工程、
を包含する、方法。
【請求項２】  請求項１に記載の方法であって、さらに以下の工程：
前記流れに沿った第一の位置での該流れのおよその速度、および前記流れに沿った第二の位置での該流れのおよその速度を、流れの特徴を決定するために利用する工程、
を包含する、方法。
【請求項３】  請求項１に記載の方法であって、さらに以下の工程：
前記流れの波長を測定する工程；
前記フローサイトメータの発振器の振動周波数を利用する工程；および
該測定された波長位置での該流れのおよその速度を、該測定された波長および該振動周波数に基づいて計算する工程、
を包含する、方法。
【請求項４】  請求項３に記載の方法であって、前記流れの波長を測定する動作が、前記フローサイトメータのほぼ前記排出点で該流れの波長を測定する工程を包含する、方法。
【請求項５】  請求項１または４に記載の方法であって、さらに以下の工程：
前記流れの液滴間の距離を測定する工程；
前記フローサイトメータの発振器の振動周波数を利用する工程；および
前記流れのおよその速度を、液滴間の測定された距離および該発振周波数に基づいて計算する工程、
を包含する、方法。
【請求項６】  前記流れの波長を測定する動作が、ほぼ前記液滴決裂点での該流れの波長を測定する工程を包含する、請求項３に記載の方法。
【請求項７】  請求項１または４に記載の方法であって、さらに以下の工程：
前記流れにおける粒子を検出する工程；
該粒子が位置する液滴が該流れから決裂する時点を決定する工程；および
該粒子を含有する液滴が電荷を有するように該流れを荷電する工程、
を包含する、方法。
【請求項８】  フローサイトメータ装置であって、以下：
流れを確立するための流れ流体の供給源；
該流れが該フローサイトメータから排出する流れ排出点；
該流れが液滴へと決裂する液滴決裂点；
該流れに沿った第一の位置で該流れのおよその速度を決定するための第一のセンサ；
該流れに沿った第二の位置で該流れのおよその速度を決定するための第二のセンサ；
距離に対してほぼ指数関数的に減衰する該流れ排出点と該液滴決裂点との間に生じる領域における該流れの速度をモデル化することによって流れの特徴を決定するために、該流れにそった第一の位置で該流れのおよその速度および該流れに沿った第二の位置で該流れのおよその速度を利用するためのコンピュータ、
を備える、装置。
【請求項９】  請求項８に記載のフローサイトメータ装置であって、さらに以下：
前記流れの波長を測定するために配向されたセンサ；および
該流れを妨害して液滴が形成されるようにするための振動周波数を有する発振器；
を備える、装置。
【請求項１０】  請求項８に記載のフローサイトメータ装置であって、さらに以下：
該フローサイトメータのほぼ排出点で前記流れの波長を測定するために配向されたセンサ、
を備える、装置。
【請求項１１】  請求項８または１０に記載のフローサイトメータ装置であって、さらに以下：
前記液滴決裂点の下における液滴間の距離を決定するために配向されたセンサ、
を備える、装置。
【請求項１２】  請求項８または１０に記載のフローサイトメータ装置であって、さらに以下：
ほぼ前記液滴決裂点での前記流れの波長を測定するために配向されたセンサ、を備える、装置。
【請求項１３】  フローサイトメトリー法であって、以下の工程：
粒子のフローを含む流れを確立する工程であって、該流れが液滴決裂点を有する、工程；
該流れの画像を捕捉する工程；
該捕捉した画像からの該流れの幅を決定する工程；および
該捕捉した画像からの決定された幅に基づくフローサイトメータのためのシグナルを生成する工程、
を包含する、方法。
【請求項１４】  フローサイトメトリー法であって、以下の工程：
粒子のフローを含む流れを確立する工程であって、該流れが液滴決裂点を有する、工程；
該流れの画像を捕捉する工程；
該捕捉した画像から流れの圧力を決定する工程；および
該捕捉した画像からの決定された圧力に基づくフローサイトメータのためのシグナルを生成する工程、
を包含する、方法。
【請求項１５】  フローサイトメトリー法であって、以下の工程：
粒子のフローを含む流れを確立する工程であって、該流れが液滴決裂点を有する、工程；
第一の液滴を生成する工程であって、該第一の液滴が電荷を有する、工程；
該流れの画像を捕捉する工程；
第二の液滴を該第一の液滴に近い位置に生成する工程；
該第一の液滴上の電荷が該第二の液滴上に有する効果を決定する工程；
該決定された効果に基づいてフローサイトメータのためのシグナルを生成する工程；および
該第一の液滴上の電荷が該第二の液滴に対して有する該決定された効果を消去するために該第二の液滴に荷電する工程、
を包含する、方法。
【請求項１６】  フローサイトメトリー法であって、以下の工程：
粒子のフローを含む流れを確立する工程であって、該流れが液滴決裂点を有する、工程；
該流れの画像を捕捉する工程；
該捕捉した画像からの粒子の軌道を決定する工程；および
該捕捉した画像から該決定された軌道に基づいて該フローサイトメータのためのシグナルを生成する工程、
を包含する、方法。
【請求項１７】  フローサイトメトリー法であって、以下の工程：
粒子のフローを含む流れを確立する工程であって、該流れが液滴決裂点を有する、工程；
該流れの画像を捕捉する工程；
該捕捉した画像からの該流れについての共鳴周波数を決定する工程；および
該捕捉した画像からの該流れについての該決定された共鳴周波数に基づいて、フローサイトメータのためのシグナルを生成する工程、
を包含する、方法。
【請求項１８】  フローサイトメトリー法であって、以下の工程：
粒子のフローを含む流れを確立する工程であって、該流れが液滴決裂点を有する、工程；
該流れの画像を捕捉する工程；
該捕捉した画像からの該流れの波の波長を決定する工程；および
該捕捉した画像からの該決定された波長に基づいて、該フローサイトメータについてのシグナルを生成する工程、
を包含する、方法。
【請求項１９】  フローサイトメータを制御する方法であって、以下の工程：
粒子のフローを含む流れを確立する工程であって、該流れが液滴決裂点を有する、工程；
該流れにおける粒子について滴下遅延時間を決定するために該流れの画像を捕捉する工程；および
該捕捉された画像からの該決定された滴下遅延時間に基づいて、該フローサイトメータについてのシグナルを生成する工程、
を包含する、方法。
【請求項２０】  請求項１９に記載のフローサイトメータを制御する方法であって、さらに以下の工程：
前記流れのデジタル画像を保存する工程、
を包含する、方法。
【請求項２１】  請求項２０に記載のフローサイトメータを制御する方法であって、さらに以下の工程：
ＣＣＤカメラを使用して前記画像を捕捉する工程、
を包含する、方法。
【請求項２２】  請求項１９または２０に記載のフローサイトメータを制御する方法であって、さらに以下の工程：
物理的距離を画素寸法と関連させる工程；および
該捕捉した画像におけるその距離を表すために使用された、画素の数に基づいて、物理的距離を決定する工程、
を包含する、方法。
【請求項２３】  請求項１９に記載のフローサイトメータを制御する方法であって、さらに以下の工程：
ほぼ排出点で前記流れの速度を決定する工程であって、該排出点が、該流れが該フローサイトメータから出現するところに位置している、工程、
を包含する、方法。
【請求項２４】  請求項１９または２３に記載のフローサイトメータを制御する方法であって、さらに以下の工程：
前記ほぼ液滴決裂点で前記流れの速度を決定する工程、
を包含する、方法。
【請求項２５】  請求項１９に記載のフローサイトメータを制御する方法であって、さらに以下の工程：
ほぼ排出点で前記流れの速度を決定する工程であって、該排出点が、該流れが該フローサイトメータから出現するところに位置している、工程；
ほぼ該液滴決裂点で該流れの速度を決定する工程、
を包含する、方法。
【請求項２６】  請求項１９に記載のフローサイトメータを制御する方法であって、さらに以下の工程：
粒子を検出する工程；
該粒子がいつ液滴荷電位置に到達するかを計算するために、前記滴下遅延時間を利用する工程；および
該荷電位置で該粒子を含有する液滴を荷電する工程、
を包含する、方法。
【請求項２７】  請求項１９または２６に記載のフローサイトメータを制御する方法であって、さらに以下の工程：
前記流れの第一の速度を決定する工程；
該流れの第二の速度を決定する工程；
該滴下遅延時間を決定するために該流れの速度における変化をモデル化するために、該流れの該第一の速度および該流れの該第二の速度を利用する工程、
を包含する、方法。
【請求項２８】  請求項１９に記載のフローサイトメータを制御する方法であって、さらに以下の工程：
前記液滴決裂点の位置における変化を決定する工程、
を包含する、方法。
【請求項２９】  請求項２８に記載のフローサイトメータを制御する方法であって、さらに以下の工程：
前記液滴決裂点における変化を補正して、所望の様式で液滴を選別する工程、を包含する、方法。
【請求項３０】  請求項２８に記載のフローサイトメータを制御する方法であって、さらに以下の工程：
該フローサイトメータを調整するためのシグナルを生成する工程；および
該生成されたシグナルに基づいて前記液滴決裂点を再確立する工程、
を包含する、方法。
【請求項３１】  請求項１９に記載のフローサイトメータを制御する方法であって、さらに以下の工程：
前記捕捉された画像からの電気的ノイズを排除する工程、
を包含する、方法。
【請求項３２】  フローサイトメータを制御する方法であって、以下の工程：
粒子のフローを含む流れを確立する工程であって、該流れは液滴決裂点を有する、工程；
該流れの画像を捕捉して、該フローサイトメータについての情報を決定する工程；および
該捕捉した画像から決定される情報に基づいて、警報を自動的に発する工程、を包含する、方法。
【請求項３３】  フローサイトメータを制御する方法であって、以下の工程：
粒子のフローを含む流れを確立する工程であって、該流れが液滴決裂点を有する、工程；
該フローサイトメータについての情報を決定するために、該液滴決裂点で該流れの画像を捕捉する工程；
該フローサイトメータを調整するために該捕捉された画像からの該決定された情報に基づいて、フローサイトメータについてのシグナルを生成する工程；および
該生成したシグナルに基づく選別を不能にする工程、
を包含する、方法。
【請求項３４】  フローサイトメータ装置であって、以下：
流れ流体の供給源；
該流れ流体における懸濁液についての粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
該流れの画像を分析して、流れの幅を決定する分析器；ならびに
決定された流れ幅に基づいて、シグナルを生成するためのシグナル生成器、
を備える、装置。
【請求項３５】  フローサイトメータ装置であって、以下：
流れ流体の供給源；
該流れ流体中の懸濁液についての粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
流れの圧力を決定するために該流れの画像を分析する分析器；および
該決定された流れ圧力に基づいてシグナルを生成するためのシグナル生成器、を備える、装置。
【請求項３６】  フローサイトメータ装置であって、以下：
流れ流体の供給源；
該流れ流体における懸濁液のための粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
第一の荷電液滴が第二の液滴に対して有する効果を決定するために該流れの画像を分析する分析器；および
該第一の荷電液滴が該第二の液滴に対して有する該決定された効果に基づいてシグナルを生成するためのシグナル生成器、
を備える、装置。
【請求項３７】  フローサイトメータ装置であって、以下：
流れ流体の供給源；
該流れ流体における懸濁液のための粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
液滴の軌道を決定するために該流れの画像を分析する分析器；および
該決定された情報に基づいてシグナルを生成するためのシグナル生成器、
を備える、装置。
【請求項３８】  フローサイトメータ装置であって、以下：
流れ流体の供給源；
該流れ流体における懸濁液のための粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
該流れに対する共振周波数を決定するために該流れの画像を分析する分析器；および
該決定された情報に基づいてシグナルを生成するためのシグナル生成器、
を備える、装置。
【請求項３９】  フローサイトメータ装置であって、以下：
流れ流体の供給源；
該流れ流体における懸濁液のための粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
該フローサイトメータについての情報を決定するために該流れの画像を分析する分析器；および
該フローサイトメータについての該決定された情報に基づいて、警告状態を示すための自動警報、
を備える、装置。
【請求項４０】  フローサイトメータ装置であって、以下：
流れ流体の供給源；
該流れ流体における懸濁液のための粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
該フローサイトメータについての情報を決定するために該流れの画像を分析する分析器；および
該決定された情報に基づいて該選別を不能にするシグナルを生成するためのシグナル生成器、
を備える、装置。
【請求項４１】  フローサイトメータ装置であって、以下：
流れ流体の供給源；
該流れ流体における懸濁液のための粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
該捕捉された画像の波長を決定するために該流れの画像を分析する分析器；および
該決定された波長に基づいてシグナルを生成するためのシグナル生成器、
を備える、装置。
【請求項４２】  フローサイトメータ装置であって、以下：
流れ流体の供給源；
該流れ流体における懸濁液のための粒子の供給源；
該流れ流体および該粒子を含む流れ；
それを通して該流れが確立されるノズル；
該流れが液滴へと決裂する該流れの決裂点であって、該液滴がほぼ該決裂点の中央にある、決裂点；
該流れの画像を捕捉するカメラ；
該流れにおける粒子についての滴下遅延時間を決定するために該流れの画像を分析する分析器；および
該決定された情報に基づいてシグナルを生成するためのシグナル生成器、
を備える、装置。
【請求項４３】  請求項４２に記載のフローサイトメータ装置であって、さらに前記カメラが、前記画像のデジタル表示を生成する、装置。
【請求項４４】  前記カメラが電荷結合デバイスを備える、請求項４２または４３に記載のフローサイトメータ装置。
【請求項４５】  請求項４２または４３に記載のフローサイトメータ装置であって、前記流れを表示するためのモニターをさらに備え、該モニターが画素から構成される、装置。
【請求項４６】  請求項４２に記載のフローサイトメータ装置であって、前記流れのほぼ排出点で、該流れの速度を測定するためのセンサをさらに備える、装置。
【請求項４７】  請求項４２または４６に記載のフローサイトメータ装置であって、ほぼ該液滴決裂点で、該流れの速度を測定するためのセンサをさらに備える、装置。
【請求項４８】  請求項４２に記載のフローサイトメータ装置であって、さらに以下：
ほぼ前記流れの排出点で、前記流れの速度を測定するためのセンサ；および
ほぼ前記液滴決裂点で、該流れの速度を測定するためのセンサ、
を備える、装置。
【請求項４９】  請求項４２に記載のフローサイトメータ装置であって、粒子が前記流れにおいて検出された後に、液滴荷電器を遅延させることに使用するための時間遅延をさらに備える、装置。
【請求項５０】  請求項４９に記載のフローサイトメータ装置であって、該流れが該フローサイトメータの排出点で出現した後に、該フローサイトメータの該流れの速度における変化を補正するための補正器をさらに備える、装置。
【請求項５１】  請求項４２に記載のフローサイトメータ装置であって、前記液滴決裂位置における変化を決定するための手段をさらに備える、装置。
【請求項５２】  請求項５１に記載のフローサイトメータ装置であって、前記流れが前記フローサイトメータの排出点で出現した後に、該フローサイトメータの該流れの速度における変化を補正するための補正器をさらに備える、装置。
【請求項５３】  請求項５１に記載のフローサイトメータ装置であって、前記液滴決裂位置を再確立するために使用されるシグナルを生成するためのシグナル生成器をさらに備える、装置。
【請求項５４】  請求項４２に記載のフローサイトメータ装置であって、警告状態を示すための警報をさらに備える、装置。
【請求項５５】  請求項４２に記載のフローサイトメータ装置であって、前記流れが該フローサイトメータの排出点で排出した後に、該流れを妨害するために機械的妨害器をさらに備える、装置。
【請求項５６】  フローサイトメータについての警告を発する方法であって、以下の工程：
該フローサイトメータで流れを確立する工程；
該フローサイトメータで確立した該流れの画像を捕捉する工程；
該流れの該捕捉された画像を、該フローサイトメータについての情報を決定するために利用する工程；
該フローサイトメータについての該決定された情報を該フローサイトメータの予測された特徴と比較する工程；
該フローサイトメータについての誤差警告を、該決定された情報および該予測された特徴の比較に基づいて発する工程、
を包含する、方法。
【請求項５７】  請求項５６に記載のフローサイトメータについての警告を発する方法であって、前記流れの画像を捕捉する動作が、
該流れの幅を決定し得るように該流れの画像を捕捉すること、を包含し、該方法はさらに：
該フローサイトメータの一部として使用されるノズルについての警告を発する工程、
を包含する、方法。
【請求項５８】  請求項５６に記載のフローサイトメータについての警告を発する方法であって、
前記画像を捕捉する動作が、前記流れの速度を決定し得るように該流れの画像を捕捉することを含み；そして、
該方法が、以下の工程：
該流れの圧力についての警告を発する工程、
を包含する、方法。
【請求項５９】  請求項５６に記載のフローサイトメータについての警告を発する方法であって、該方法は、さらに以下の工程：
前記流れの速度を決定する工程；および
該流れの圧力についての警告を、該決定された流れの速度に基づいて発する工程、
を包含する、方法。
【請求項６０】  請求項５６に記載のフローサイトメータについての警告を発する方法であって、該方法は、さらに以下の工程：
前記流れの位置を測定する工程；
該測定された流れの位置を、該流れの予測される位置と比較する工程；および
該フローサイトメータについての警告を、該測定された位置の該流れの予測される位置との比較に基づいて発する工程、
を包含する、方法。
【請求項６１】  請求項５６に記載のフローサイトメータについての警告を発する方法であって、該方法が、さらに以下の工程：
リモートコンピューターモニター上に示されるように警告を発する工程、
を包含する、方法。
【請求項６２】  請求項５６に記載のフローサイトメータについての警告を発する方法であって、該方法は、さらに以下の工程：
ページングデバイスに警告シグナルを発する工程、
を包含する、方法。
【請求項６３】  フローサイトメータ装置であって、以下：
流れを確立するために使用する流れ供給源；
それを通して該流れが確立されるノズル；
該流れの画像を捕捉するためのカメラ；
該フローサイトメータについての情報を決定するために該流れの画像を分析するための分析器；および
該フローサイトメータについてのエラー警告を、該決定された情報に基づいて発するためのシグナル生成器、
を備える、装置。
【請求項６４】  請求項６３に記載されるフローサイトメータ装置であって、さらに以下：
前記決定された情報を該フローサイトメータのパラメータと比較するためのコンパレータ、
を備える、装置。
【請求項６５】  請求項６３に記載のフローサイトメータ装置であって、前記カメラが該流れの幅の決定を可能にする画像を捕捉するために配向されている、装置。
【請求項６６】  請求項６３に記載のフローサイトメータ装置であって、前記カメラが、前記流れの速度の決定を可能にする画像を捕捉するように配向されている、装置。
【請求項６７】  請求項６３に記載のフローサイトメータ装置であって、前記カメラが、流れ位置における変化の決定を可能にする画像を捕捉するように配向されている、装置。
【請求項６８】  請求項６３に記載のフローサイトメータ装置であって、リモートモニターをさらに備える、装置。
【請求項６９】  請求項６３に記載のフローサイトメータ装置であって、リモートページングデバイスをさらに備える、装置。
【請求項７０】  以下の工程：
フローサイトメータにおいて流れを確立する工程；
該フローサイトメータにおいて確立された該流れの第一の画像を捕捉する工程；
該第一の画像に基づいて該流れの第一のデジタル表示を生成する工程；
該フローサイトメータにおいて確立された該流れの第二の画像を捕捉する工程；
該第二の画像に基づいて該流れの第二のデジタル表示を生成する工程；
該流れの該第二のデジタル表示を、該流れの該第一のデジタル表示と比較する工程；ならびに
該流れの特性が、該流れの該第一のデジタル表示と該流れの該第二のデジタル表示との比較に基づいて変化しているか否かを決定する工程、
を包含する、方法。
【請求項７１】  請求項７０に記載の方法であって、さらに以下の工程：
前記流れの輪郭を生成する工程、
を包含する、方法。
【請求項７２】  請求項７１に記載の方法であって、前記流れの輪郭を生成する動作が、液滴の輪郭を生成することをさらに含む、方法。
【請求項７３】  請求項７１または７２に記載の方法であって、さらに以下の工程：
メモリに前記流れの輪郭を保存する工程、
を包含する、方法。
【請求項７４】  請求項７０、７１、または７２に記載の方法であって、さらに以下の工程：
前記第二のデジタル表示を、前記第一のデジタル表示と比較する工程；および
該第一のデジタル表示と該第二のデジタル表示との間の前記流れの表示における変化を検出する工程、
を包含する、方法。
【請求項７５】  フローサイトメータ装置であって、以下：
流れを確立するために使用される流れ供給源；
該流れの画像を捕捉するためのカメラ；
該流れの第一のデジタル表示を生成するための画像化手段；
該流れの第一のデジタル表示を保存するためのメモリ；
該流れの該第一のデジタル表示を該流れの第二のデジタル表示と比較するためのコンパレータ；および
該流れの該第一のデジタル表示と該流れの該第二のデジタル表示との比較に基づいて、該フローサイトメーターに対してシグナルを生成するためのシグナル生成器、
を備える、装置。
【請求項７６】  請求項７５に記載のフローサイトメータ装置であって、さらに以下：
前記流れの輪郭を生成するための輪郭づけのための手段、
を備える、装置。
【請求項７７】  請求項７６に記載のフローサイトメータ装置であって、前記輪郭づけ手段が、液滴の輪郭を生成するように構成されている、装置。
【請求項７８】  フローサイトメータを制御する方法であって、該方法は、以下の工程：
該フローサイトメータで流れを確立する工程；
該フローサイトメータについての少なくとも１つのパラメータを規定する工程；
該フローサイトメータの操作が、該フローサイトメータについての少なくとも１つのパラメータを満たさないときを決定する工程；
フローサイトメータが、該フローサイトメータについての少なくとも１つのパラメータを満たさない決定に基づいて、該流れを機械的に妨害する工程；
を包含する、方法。
【請求項７９】  請求項７８に記載のフローサイトメータを制御する方法であって、さらに以下の工程：
該フローサイトメータの操作が、該フローサイトメータの少なくとも１つのパラメータを満たさないときを決定した後に、前記流れを妨害するために溝を移動させる工程、
を包含する、方法。
【請求項８０】  請求項７８に記載のフローサイトメータを制御する方法であって、さらに以下の工程：
該フローサイトメータによって生成された収集したサンプルからの流れを偏向させるためにディフレクタを移動させる工程、
を包含する、方法。
【請求項８１】  フローサイトメータ装置であって、以下：
流れを確立するために使用する流れ供給源；
それを通して該流れが確立されるノズル；
該フローサイトメータについての少なくとも１つのパラメータを保存するためのメモリ；
該フローサイトメータの操作が該フローサイトメータについての該少なくとも１つのパラメータを満たさないときを決定するためのセンサ；
該センサによってなされる決定に基づいて該流れを妨害する機械的妨害デバイス、
を備える、装置。
【請求項８２】  請求項８１に記載のフローサイトメータ装置であって、前記センサが、以下：
前記流れの第一の画像を捕捉するためのカメラ；
該フローサイトメータについての情報を決定するための該流れの第一の画像を分析するための分析器；および
該決定された情報を、該フローサイトメータの前記少なくとも１つのパラメータと比較するためのコンパレータ、
を備える、装置。
【請求項８３】  請求項８１または８２に記載のフローサイトメータ装置であって、前記流れを妨害するように適合された、移動可能な側溝をさらに備える、装置。
【請求項８４】  請求項８３に記載のフローサイトメータ装置であって、前記流れを偏向するように適合された移動可能なディフレクタをさらに備える、装置。
【請求項８５】  フローサイトメータ装置であって、以下：
発振器に対する電圧の関数として変動する、異なる機械的振動を出力する発信器；
該異なる機械的振動に反応する流れ流体；
該流れ流体における懸濁液についての粒子の供給源；
該流れ流体および該粒子を含む流れ；
それを通して該流れが確立されるノズル；
該流れが液滴へと決裂する該流れの決裂点であって、該液滴がほぼ決裂点の位置の中央にあり、該異なる機械的振動に反応して固定点に対して移動する、決裂点；
該液滴の画像を捕捉するカメラ；および
該決裂点が生じる点における距離の関数として、該発振器に対する電圧を変動させる、振動制御デバイス、
を備える、装置。
【請求項８６】  以下の工程：
発振器を運転して、発振器運転電圧を通じて機械的振動を作り出す工程；
フローサイトメータによって流れを確立する工程であって、該流れは、決裂点位置を有する液滴に決裂する、工程；
該液滴の画像を捕捉する工程；
該液滴の画像を分析する工程；
該滴液決裂点位置の移動の距離を決定する工程；
固定位置から該液滴決裂点位置の距離の関数として、該振動運転電圧を調整する工程；および
該振動運転電圧を調整することによって、固定された位置に対してほとんど同じ液滴決裂点位置を維持する工程、
を包含する、方法。
【請求項８７】  請求項８６に記載の方法であって、以下の工程：
前記流れに粒子を入れる工程；
該流れにおいて該粒子を検出する工程；
該粒子が位置する液滴が該流れから決裂する時点を決定する工程；および
該粒子を含有する液滴が電荷を有するように該流れを荷電する工程、
をさらに包含する、方法。